(57)【要約】【課題】適切な車両周辺の確認を可能とすること。【解決手段】車両の後方を撮影する後方カメラ１１０からの第一映像データを取得する後方映像データ取得部４２と、車両の左右側後方を撮影する右側後方カメラ１２０および左側後方カメラ１３０からの側後方映像データを取得する側後方映像データ取得部４１と、車両の走行状況を示す情報を取得する走行状況情報取得部６０と、走行状況情報取得部６０が取得した走行状況に応じて、左右上方に右側後方映像データおよび左側後方映像データを合成する映像合成部５２と、映像合成部５２が合成した後方映像データを、車両の後方映像を表示するリヤビューモニタ１４０に表示させる表示制御部７０とを備える。【選択図】図３
2018019155.tif 000002
【特許請求の範囲】
【請求項１】
車両の後方を向くように配置され、前記車両の後方を撮影する後方カメラからの後方映像データを取得する後方映像データ取得部と、
前記車両の左右側方に前記車両の後方を向くように配置され、前記車両の左右側後方を撮影する側後方カメラからの側後方映像データを取得する側後方映像データ取得部と、
前記車両の走行状況を示す情報を取得する走行状況情報取得部と、
前記走行状況情報取得部が取得した走行状況に応じて、前記後方映像データの左右上方に前記側後方映像データを合成する映像合成部と、
前記映像合成部が合成した後方映像データを、前記車両の後方映像を表示する表示装置に表示させる表示制御部と、
を備えることを特徴とする車両用表示制御装置。
【請求項２】
前記映像合成部は、前記側後方映像データが、前記表示装置における表示面の縦方向サイズにおける上方二分の一程度となるように、前記後方映像データの左右上方に前記側後方映像データを合成する、
請求項１に記載の車両用表示制御装置。
【請求項３】
前記映像合成部は、前記側後方映像データが、前記表示装置における表示面の横方向サイズにおける左右三分の一程度となるように、前記後方映像データの左右上方に前記側後方映像データを合成する、
請求項１または２に記載の車両用表示制御装置。
【請求項４】
前記走行状況情報取得部は、前記車両が後退することを示す情報を取得し、
前記映像合成部は、前記走行状況情報取得部が、前記車両が後退することを示す情報を取得したとき、前記後方映像データの左右上方に前記側後方映像データを合成する、
請求項１から３のいずれか１項に記載の車両用表示制御装置。
【請求項５】
前記後方映像データから前記表示装置に表示させる表示範囲を切出す切出部、を備え、
前記切出部は、前記車両用表示制御装置が、合成した後方映像データを前記表示装置に表示させるとき、合成していない前記後方映像データを表示させるときより下方を切出す、
請求項１から４のいずれか１項に記載の車両用表示制御装置。
【請求項６】
前記走行状況情報取得部は、前記車両の走行状況を示す情報として、前記車両の走行速度に関する情報を取得し、
前記映像合成部は、前記走行状況情報取得部が、前記車両が低速走行状況であることを示している情報を取得したとき、前記後方映像データの左右上方に前記側後方映像データを合成する、
請求項１から３のいずれか１項に記載の車両用表示制御装置。
【請求項７】
前記走行状況情報取得部は、前記車両の走行状況を示す情報として、前記車両の走行路に関する情報を取得し、
前記映像合成部は、前記走行状況情報取得部が取得した走行路に関する情報が、片側一車線の道路を示しているとき、前記後方映像データの左右上方に、路側方向に対応する左右どちらかの前記側後方映像データを合成する、
請求項１から３のいずれか１項に記載の車両用表示制御装置。
【請求項８】
前記走行状況情報取得部は、前記車両の走行状況を示す情報として、前記車両の走行路に関する情報を取得し、
前記映像合成部は、前記走行状況情報取得部が取得した走行路に関する情報が、低速走行を行う道路であることを示しているとき、前記後方映像データの左右上方に前記側後方映像データを合成する、
請求項１から３のいずれか１項に記載の車両用表示制御装置。
【請求項９】
前記映像合成部は、前記走行状況情報取得部が取得した走行路に関する情報が、片側一車線の道路を示しているとき、前記後方映像データの左右上方に、路側方向に対応する左右どちらかの前記側後方映像データを拡大して合成する、
請求項８に記載の車両用表示制御装置。
【請求項１０】
前記走行状況情報取得部は、前記車両の走行状況を示す情報として、前記車両の旋回方向情報を取得し、
前記映像合成部は、前記走行状況情報取得部が取得した旋回方向情報が旋回方向の変化を示しているとき、前記後方映像データの左右上方に、旋回方向に対応する左右どちらかの前記側後方映像データを合成する、
請求項１から３のいずれか１項に記載の車両用表示制御装置。
【請求項１１】
前記後方映像データの左右側方の障害物を検出する検出部、を備え、
前記映像合成部は、前記検出部で前記後方映像データの左右側方に障害物を検出したとき、前記後方映像データの左右上方に、前記障害物が検出された方向に対応する左右少なくともどちらかの前記側後方映像データを拡大して合成する、
請求項４または７または１０に記載の車両用表示制御装置。
【請求項１２】
請求項１から１１のいずれか１項に記載の車両用表示制御装置と、
少なくとも前記表示装置、前記後方カメラ、前記側後方カメラのうち少なくともいずれかと、を備える車両用表示システム。
【請求項１３】
車両の後方を向くように配置され、前記車両の後方を撮影する後方カメラからの後方映像データを取得する後方映像データ取得ステップと、
前記車両の左右側方に前記車両の後方を向くように配置され、前記車両の左右側後方を撮影する側後方カメラからの側後方映像データを取得する側後方映像データ取得ステップと、
前記車両の走行状況を示す情報を取得する走行状況情報取得ステップと、
前記走行状況情報取得ステップが取得した走行状況に応じて、前記後方映像データの左右上方に前記側後方映像データを合成する映像合成ステップと、
前記映像合成ステップが合成した後方映像データを、前記車両の後方映像を表示する表示装置に表示させる表示制御ステップと、
を含む車両用表示制御方法。
【請求項１４】
車両の後方を向くように配置され、前記車両の後方を撮影する後方カメラからの後方映像データを取得する後方映像データ取得ステップと、
前記車両の左右側方に前記車両の後方を向くように配置され、前記車両の左右側後方を撮影する側後方カメラからの側後方映像データを取得する側後方映像データ取得ステップと、
前記車両の走行状況を示す情報を取得する走行状況情報取得ステップと、
前記走行状況情報取得ステップが取得した走行状況に応じて、前記後方映像データの左右上方に前記側後方映像データを合成する映像合成ステップと、
前記映像合成ステップが合成した後方映像データを、前記車両の後方映像を表示する表示装置に表示させる表示制御ステップと、
を車両用表示制御装置として動作するコンピュータに実行させるためのプログラム。
【発明の詳細な説明】
【技術分野】
【０００１】
本発明は、車両用表示制御装置、車両用表示システム、車両用表示制御方法およびプログラムに関する。
【背景技術】
【０００２】
車両の後方周辺領域を撮影する後方カメラからの映像を表示する、いわゆる電子ミラーに関する技術が知られている。電子ミラーは、従来の光学式ルームミラーと異なり、２次元の映像の実像であるため、被撮影物の距離感を認識しにくかったり、運転者が違和感を覚えたりすることがある。そこで、自車両とカメラが撮影した物体との距離感の誤認識を抑制した車載用表示装置が知られている（例えば、特許文献１参照）。また、視野調整操作の煩雑さを解消し、違和感のない左右後方映像を表示する車両用後方視認システムが知られている（例えば、特許文献２参照）。
【先行技術文献】
【特許文献】
【０００３】
【特許文献１】特開２０１６−０６３３５２号公報
【特許文献２】特開２０１１−２１７３１８号公報
【発明の概要】
【発明が解決しようとする課題】
【０００４】
運転者は、運転中に車両周辺を確認するため、リヤビューモニタと、左右サイドビューモニタとを視認する。リヤビューモニタと、左右サイドビューモニタとが離れて設置されているので、車両周辺の確認には視線移動をともなう。また、運転者が運転中に短い時間で認識可能な情報量は限られている。このため、リヤビューモニタや左右サイドビューモニタには、運転者が情報を必要とするタイミングで、適切な情報量の映像を表示することが望ましい。このように、適切な車両周辺の確認を可能にする技術が望まれている。
【０００５】
本発明は、上記に鑑みてなされたものであって、適切な車両周辺の確認を可能とすることを目的とする。
【課題を解決するための手段】
【０００６】
上述した課題を解決し、目的を達成するために、本発明に係る車両用表示制御装置は、車両の後方を向くように配置され、前記車両の後方を撮影する後方カメラからの後方映像データを取得する後方映像データ取得部と、前記車両の左右側方に前記車両の後方を向くように配置され、前記車両の左右側後方を撮影する側後方カメラからの側後方映像データを取得する側後方映像データ取得部と、前記車両の走行状況を示す情報を取得する走行状況情報取得部と、前記走行状況情報取得部が取得した走行状況に応じて、前記後方映像データの左右上方に前記側後方映像データを合成する映像合成部と、前記映像合成部が合成した後方映像データを、前記車両の後方映像を表示する表示装置に表示させる表示制御部と、を備えることを特徴とする。
【０００７】
本発明に係る車両用表示システムは、上記の車両用表示制御装置と、少なくとも前記表示装置、前記後方カメラ、前記側後方カメラのうち少なくともいずれかと、を備える。
【０００８】
本発明に係る車両用表示制御方法は、車両の後方を向くように配置され、前記車両の後方を撮影する後方カメラからの後方映像データを取得する後方映像データ取得ステップと、前記車両の左右側方に前記車両の後方を向くように配置され、前記車両の左右側後方を撮影する側後方カメラからの側後方映像データを取得する側後方映像データ取得ステップと、前記車両の走行状況を示す情報を取得する走行状況情報取得ステップと、前記走行状況情報取得ステップが取得した走行状況に応じて、前記後方映像データの左右上方に前記側後方映像データを合成する映像合成ステップと、前記映像合成ステップが合成した後方映像データを、前記車両の後方映像を表示する表示装置に表示させる表示制御ステップと、を含む。
【０００９】
本発明に係るプログラムは、車両の後方を向くように配置され、前記車両の後方を撮影する後方カメラからの後方映像データを取得する後方映像データ取得ステップと、前記車両の左右側方に前記車両の後方を向くように配置され、前記車両の左右側後方を撮影する側後方カメラからの側後方映像データを取得する側後方映像データ取得ステップと、前記車両の走行状況を示す情報を取得する走行状況情報取得ステップと、前記走行状況情報取得ステップが取得した走行状況に応じて、前記後方映像データの左右上方に前記側後方映像データを合成する映像合成ステップと、前記映像合成ステップが合成した後方映像データを、前記車両の後方映像を表示する表示装置に表示させる表示制御ステップと、を車両用表示制御装置として動作するコンピュータに実行させる。
【発明の効果】
【００１０】
本発明によれば、適切な車両周辺の確認を可能にすることができるという効果を奏する。
【図面の簡単な説明】
【００１１】
【図１】図１は、第一実施形態に係る車両用表示システムの構成例を示す概略図である。
【図２】図２は、第一実施形態に係る車両用表示システムの構成例を示す概略図である。
【図３】図３は、第一実施形態に係る車両用表示システムの構成例を示すブロック図である。
【図４】図４は、第一実施形態に係る車両用表示システムの後方カメラで撮影された映像データの一例を示す図である。
【図５】図５は、第一実施形態に係る車両用表示システムのリヤビューモニタに表示される映像の一例を示す図である。
【図６】図６は、第一実施形態に係る車両用表示システムの右サイドビューモニタに表示される映像の一例を示す図である。
【図７】図７は、第一実施形態に係る車両用表示システムの左サイドビューモニタに表示される映像の一例を示す図である。
【図８】図８は、第一実施形態に係る車両用表示システムのリヤビューモニタに表示される映像の他の例を示す図である。
【図９】図９は、第一実施形態に係る車両用表示システムの車両用表示制御装置の制御部における処理の流れを示すフローチャートである。
【図１０】図１０は、第一実施形態に係る車両用表示システムの後方カメラで撮影された映像データの他の例を示す図である。
【図１１】図１１は、第一実施形態に係る車両用表示システムのリヤビューモニタに表示される映像の他の例を示す図である。
【図１２】図１２は、第一実施形態に係る車両用表示システムの右サイドビューモニタに表示される映像の他の例を示す図である。
【図１３】図１３は、第一実施形態に係る車両用表示システムの左サイドビューモニタに表示される映像の他の例を示す図である。
【図１４】図１４は、第一実施形態に係る車両用表示システムのリヤビューモニタに表示される映像の他の例を示す図である。
【図１５】図１５は、第二実施形態に係る車両用表示システムの車両用表示制御装置の制御部における処理の流れを示すフローチャートである。
【図１６】図１６は、第二実施形態に係る車両用表示システムの後方カメラで撮影された映像データの一例を示す図である。
【図１７】図１７は、第二実施形態に係る車両用表示システムのリヤビューモニタに表示される映像の一例を示す図である。
【図１８】図１８は、第三実施形態に係る車両用表示システムの構成例を示すブロック図である。
【図１９】図１９は、第三実施形態に係る車両用表示システムの車両用表示制御装置の制御部における処理の流れを示すフローチャートである。
【図２０】図２０は、第三実施形態に係る車両用表示システムの後方カメラで撮影された映像データの一例を示す図である。
【図２１】図２１は、第三実施形態に係る車両用表示システムのリヤビューモニタに表示される映像の一例を示す図である。
【図２２】図２２は、第四実施形態に係る車両用表示システムの車両用表示制御装置の制御部における処理の流れを示すフローチャートである。
【図２３】図２３は、第五実施形態に係る車両用表示システムの車両用表示制御装置の制御部における処理の流れを示すフローチャートである。
【図２４】図２４は、第五実施形態に係る車両用表示システムの後方カメラで撮影された映像データの一例を示す図である。
【図２５】図２５は、第五実施形態に係る車両用表示システムのリヤビューモニタに表示される映像の一例を示す図である。
【図２６】図２６は、第六実施形態に係る車両用表示システムの車両用表示制御装置の制御部における処理の流れを示すフローチャートである。
【図２７】図２７は、第六実施形態に係る車両用表示システムのリヤビューモニタに表示される映像の一例を示す図である。
【図２８】図２８は、第六実施形態に係る車両用表示システムのリヤビューモニタに表示される映像の他の例を示す図である。
【図２９】図２９は、第七実施形態に係る車両用表示システムの車両用表示制御装置の制御部における処理の流れを示すフローチャートである。
【発明を実施するための形態】
【００１２】
以下に添付図面を参照して、本発明に係る車両用表示制御装置１０、車両用表示システム１、車両用表示制御方法およびプログラムの実施形態を詳細に説明する。なお、以下の実施形態により本発明が限定されるものではない。
【００１３】
［第一実施形態］
車両用表示システム１は、車両１００に搭載され、車両周辺を表示する。図１は、第一実施形態に係る車両用表示システムの構成例を示す概略図である。図２は、第一実施形態に係る車両用表示システムの構成例を示す概略図である。図３は、第一実施形態に係る車両用表示システムの構成例を示すブロック図である。
【００１４】
図１ないし図３に示すように、車両用表示システム１は、後方カメラ１１０と、右側後方カメラ（側後方カメラ）１２０と、左側後方カメラ（側後方カメラ）１３０と、リヤビューモニタ（表示装置）１４０と、右サイドビューモニタ（側後方確認装置）１５０と、左サイドビューモニタ（側後方確認装置）１６０と、車両用表示制御装置１０とを有する。
【００１５】
後方カメラ１１０は、車両１００の後方に後方を向くように配置され、車両１００の後方を撮影する。後方カメラ１１０は、水平方向の画角が例えば９０〜１８０°、上下方向の画角が例えば４５〜９０°である。例えば、後方カメラ１１０は、図４に示すような、第一映像データ（後方映像データ）１１０Ａを撮影している。図４は、第一実施形態に係る車両用表示システムの後方カメラで撮影された映像データの一例を示す図である。後方カメラ１１０は、リヤビューモニタ１４０に表示させる範囲より広い範囲の映像を撮影可能であるが、リヤビューモニタ１４０を用いて車両１００の運転者が適切に後方を認識できるような範囲を切出してリヤビューモニタ１４０に表示する。後方カメラ１１０は、撮影した第一映像データ１１０Ａを車両用表示制御装置１０の映像データ取得部４０の後方映像データ取得部４２へ出力する。
【００１６】
右側後方カメラ１２０は、車両１００の右側方に後方を向くように配置され、車両１００の右側方を撮影する。右側後方カメラ１２０は、右サイドビューモニタ１５０による確認範囲を撮影する。右側後方カメラ１２０は、水平方向の画角が例えば１５〜４５°、上下方向の画角が例えば１５〜４５°である。右側後方カメラ１２０は、角度調節自在である。右側後方カメラ１２０は、撮影した映像（側後方映像データ）を車両用表示制御装置１０の映像データ取得部４０の側後方映像データ取得部４１へ出力する。
【００１７】
左側後方カメラ１３０は、車両１００の左側方に後方を向くように配置され、車両１００の左側方を撮影する。左側後方カメラ１３０は、左サイドビューモニタ１６０による確認範囲を撮影する。左側後方カメラ１３０は、水平方向の画角が例えば１５〜４５°、上下方向の画角が例えば１５〜４５°である。左側後方カメラ１３０は、角度調節自在である。左側後方カメラ１３０は、撮影した映像（側後方映像データ）を車両用表示制御装置１０の映像データ取得部４０の側後方映像データ取得部４１へ出力する。
【００１８】
リヤビューモニタ１４０は、一例としては電子ルームミラーである。リヤビューモニタ１４０を電子ルームミラーとして用いる場合は、後方を光学的な反射により確認するためのハーフミラーの有無は問わない。リヤビューモニタ１４０は、例えば、液晶ディスプレイ（ＬＣＤ：Ｌｉｑｕｉｄ  Ｃｒｙｓｔａｌ  Ｄｉｓｐｌａｙ）または有機ＥＬ（Ｏｒｇａｎｉｃ  Ｅｌｅｃｔｒｏ−Ｌｕｍｉｎｅｓｃｅｎｃｅ）ディスプレイなどを含むディスプレイである。リヤビューモニタ１４０は、車両用表示制御装置１０の表示制御部７０から出力された映像信号に基づき、車両１００の後方映像を表示する。具体的に、リヤビューモニタ１４０は、図５に示すような後方映像を表示する。図５は、第一実施形態に係る車両用表示システムのリヤビューモニタに表示される映像の一例を示す図である。リヤビューモニタ１４０は、運転者から視認容易な位置に配置されている。本実施形態では、リヤビューモニタ１４０は、ウィンドシールド１０１の車幅方向の中央上部に配置されている。または、リヤビューモニタ１４０は、ダッシュボード１０２やヘッドライナーに埋め込まれていてもよい。
【００１９】
リヤビューモニタ１４０は、大きさ、形状は限定されない。例えば、リヤビューモニタ１４０は、従来の光学式のルームミラーと同様な大きさ、形状であってもよい。または、例えば、リヤビューモニタ１４０は、従来の光学式のルームミラーに比べて車幅方向の幅が広くてもよい。または、例えば、リヤビューモニタ１４０は、従来の光学式のルームミラーに比べて縦方向の幅が広くてもよい。
【００２０】
右サイドビューモニタ１５０は、例えば、液晶ディスプレイまたは有機ＥＬディスプレイなどを含むディスプレイである。右サイドビューモニタ１５０は、車両用表示制御装置１０の表示制御部７０から出力された映像信号に基づき、車両１００の右側後方映像を表示する。具体的に、右サイドビューモニタ１５０は、図６に示すような右側後方映像を表示する。図６は、第一実施形態に係る車両用表示システムの右サイドビューモニタに表示される映像の一例を示す図である。右サイドビューモニタ１５０には、車両１００の右側方の車体１００Ｒが映り込んでいる。右サイドビューモニタ１５０は、運転者から視認容易な位置に配置されている。本実施形態では、右サイドビューモニタ１５０は、ダッシュボード１０２の車幅方向の右側に配置されている。
【００２１】
左サイドビューモニタ１６０は、例えば、液晶ディスプレイまたは有機ＥＬディスプレイを含むディスプレイである。左サイドビューモニタ１６０は、車両用表示制御装置１０の表示制御部７０から出力された映像信号に基づき、車両１００の左側後方映像を表示する。例えば、左サイドビューモニタ１６０は、図７に示すような左側後方映像を表示する。図７は、第一実施形態に係る車両用表示システムの左サイドビューモニタに表示される映像の一例を示す図である。左サイドビューモニタ１６０には、車両１００の左側方の車体１００Ｌが映り込んでいる。左サイドビューモニタ１６０は、運転者から視認容易な位置に配置されている。本実施形態では、左サイドビューモニタ１６０は、ダッシュボード１０２の車幅方向の左側に配置されている。
【００２２】
図３に戻って、車両用表示制御装置１０は、記憶部２０と、制御部３０とを有する。
【００２３】
記憶部２０は、車両用表示制御装置１０における各種処理に要するデータおよび各種処理結果を記憶する。記憶部２０は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ（Ｆｌａｓｈ  Ｍｅｍｏｒｙ）などの半導体メモリ素子、または、ハードディスク、光ディスク、ネットワークを介した外部記憶装置などの記憶装置である。または、図示しない通信装置を介して無線接続される外部記憶装置であってもよい。
【００２４】
制御部３０は、例えば、ＣＰＵ（Ｃｅｎｔｒａｌ  Ｐｒｏｃｅｓｓｉｎｇ  Ｕｎｉｔ）などで構成された演算処理装置である。制御部３０は、映像データ取得部４０と、映像処理部５０と、走行状況情報取得部６０と、表示制御部７０とを含む。制御部３０は、記憶部２０に記憶されているプログラムに含まれる命令を実行する。
【００２５】
映像データ取得部４０は、車両１００の後方および側後方を撮影した映像を取得する。映像データ取得部４０が取得する映像データは、例えば、毎秒６０フレームの画像が連続した映像データである。映像データ取得部４０は、側後方映像データ取得部４１と、後方映像データ取得部４２とを有する。側後方映像データ取得部４１は、右側後方カメラ１２０および左側後方カメラ１３０が出力した第二映像データを取得する。側後方映像データ取得部４１は、取得した第二映像データを切出部５１に出力する。後方映像データ取得部４２は、後方カメラ１１０が出力した第一映像データ１１０Ａを取得する。後方映像データ取得部４２は、取得した第一映像データ１１０Ａを切出部５１に出力する。
【００２６】
切出部５１は、第一映像データ１１０Ａからリヤビューモニタ１４０に表示する後方映像データ１１０Ｂを切出す。切出部５１は、第一映像データ１１０Ａから第一映像データ１１０Ａの一部を切出す。第一映像データ１１０Ａのどの範囲を切出すかは、あらかじめ登録され記憶されている。本実施形態では、第一映像データ１１０Ａの中央部を切出す。切出部５１は、切出した後方映像データ１１０Ｂを映像合成部５２と表示制御部７０に出力する。
【００２７】
切出部５１は、第二映像データから、右サイドビューモニタ１５０および左サイドビューモニタ１６０に表示する右側後方映像データ１２０Ｂおよび左側後方映像データ１３０Ｂを切出す。切出部５１は、第二映像データから第二映像データの一部を切出す。第二映像データのどの範囲を切出すかは、あらかじめ登録され記憶されている。切出部５１は、切出した右側後方映像データ１２０Ｂおよび左側後方映像データ１３０Ｂを映像合成部５２と表示制御部７０に出力する。切出部５１で切出された、後方映像データ１１０Ｂと右側後方映像データ１２０Ｂおよび左側後方映像データ１３０Ｂとは、同期している。
【００２８】
映像合成部５２は、走行状況情報取得部６０が取得した走行状況に応じて、後方映像データ１１０Ｂの左右上方に右側後方映像データ１２０Ｂおよび左側後方映像データ１３０Ｂを合成した後方映像データ１１０Ｃを生成する。本実施形態では、映像合成部５２は、走行状況情報取得部６０が、車両１００が後退することを示す情報を取得したとき、後方映像データ１１０Ｂの左右上方に右側後方映像データ１２０Ｂおよび左側後方映像データ１３０Ｂを合成した後方映像データ１１０Ｃを生成する。例えば、映像合成部５２は、図８に示すような合成した後方映像データ１１０Ｃを生成する。図８は、第一実施形態に係る車両用表示システムのリヤビューモニタに表示される映像の他の例を示す図である。本実施形態において、合成した後方映像データ１１０Ｃにおける右側後方映像データ１２０Ｂおよび左側後方映像データ１３０Ｂの大きさは、リヤビューモニタ１４０の表示面の縦方向サイズにおける上方約二分の一程度の大きさである。合成した後方映像データ１１０Ｃにおける右側後方映像データ１２０Ｂおよび左側後方映像データ１３０Ｂの大きさは、リヤビューモニタ１４０の表示面の横方向サイズにおける左右約三分の一程度の大きさである。映像合成部５２は、合成した後方映像データ１１０Ｃを表示制御部７０に出力する。
【００２９】
ここで、後方映像データ１１０Ｂにおいて、運転者にとって運転中の安全確認の必要度が高い範囲は、後方映像データ１１０Ｂの中央部分および左右下方部分の範囲である。後方映像データ１１０Ｂの中央部分には、走行路が直進であるときの消失点が含まれる。言い換えると、後方映像データ１１０Ｂの左右上方の範囲は、運転者にとって運転中の安全確認の必要度が低い。このため、映像合成部５２は、後方映像データ１１０Ｂの左右上方に右側後方映像データ１２０Ｂおよび左側後方映像データ１３０Ｂを合成する。本実施形態では、合成した後方映像データ１１０Ｃにおける右側後方映像データ１２０Ｂおよび左側後方映像データ１３０Ｂの大きさをリヤビューモニタ１４０の表示面の縦方向サイズにおける上方約二分の一程度とし、映像が重なる範囲を小さくしている。本実施形態では、合成した後方映像データ１１０Ｃにおける右側後方映像データ１２０Ｂおよび左側後方映像データ１３０Ｂの大きさをリヤビューモニタ１４０の表示面の横方向サイズにおける左右約三分の一程度の大きさとし、映像が重なる範囲を小さくしている。また、後方映像データ１１０Ｂと右側後方映像データ１２０Ｂおよび左側後方映像データ１３０Ｂとの表示される境界が明瞭となるように、右側後方映像データ１２０Ｂおよび左側後方映像データ１３０Ｂを枠線等で囲うことが効果的である。
【００３０】
走行状況情報取得部６０は、車両１００に備えられたＣＡＮ（Ｃｏｎｔｒｏｌｌｅｒ  Ａｒｅａ  Ｎｅｔｗｏｒｋ）に接続されＯＢＤ（Ｏｎ  Ｂｏａｒｄ  Ｄｉａｇｎｏｓｉｓ）IIデータなどを取得することで、車両１００における様々な走行状況情報を取得する。走行状況情報取得部６０は、車両１００の走行状況情報として、車両１００が後退することを示す情報を取得する。より詳しくは、走行状況情報取得部６０は、例えば、シフトポジション情報または進行方向情報を取得する。走行状況情報取得部６０は、取得した走行状況情報を映像合成部５２に出力する。
【００３１】
表示制御部７０は、毎フレームまたは所定フレームごとに、後方映像データ１１０Ｂまたは映像合成部５２が合成した後方映像データ１１０Ｃをリヤビューモニタ１４０に出力する。
【００３２】
表示制御部７０は、毎フレームまたは所定フレームごとに、右側後方映像データ１２０Ｂを右サイドビューモニタ１５０に表示させる。言い換えると、表示制御部７０は、右側後方カメラ１２０で撮影された第二映像データに基づく右側後方映像データ１２０Ｂを右サイドビューモニタ１５０に表示させる。
【００３３】
表示制御部７０は、毎フレームまたは所定フレームごとに、左側後方映像データ１３０Ｂを左サイドビューモニタ１６０に表示させる。言い換えると、表示制御部７０は、左側後方カメラ１３０で撮影された第二映像データに基づく左側後方映像データ１３０Ｂを左サイドビューモニタ１６０に表示させる。表示制御部７０は、リヤビューモニタ１４０に表示される後方映像データ１１０Ｂまたは合成した後方映像データ１１０Ｃと、右サイドビューモニタ１５０に表示される右側後方映像データ１２０Ｂと、左サイドビューモニタ１６０に表示される左側後方映像データ１３０Ｂとが同期するように表示を制御する。
【００３４】
次に、図９を用いて、制御部３０における情報処理について説明する。図９は、第一実施形態に係る車両用表示システムの車両用表示制御装置の制御部における処理の流れを示すフローチャートである。
【００３５】
図９の処理における前提としては、車両１００が動作している期間中、リヤビューモニタ１４０に後方映像データ１１０Ｂが表示され、右サイドビューモニタ１５０に右側後方映像データ１２０Ｂ、左サイドビューモニタ１６０に左側後方映像データ１３０Ｂが表示されている状態である。また、このような状態において、制御部３０は、走行状況情報取得部６０で走行状況の取得を継続している。より詳しくは、制御部３０は、走行状況情報取得部６０で、例えば、シフトポジション情報または進行方向情報を含む走行状況情報が発生したか常時監視している。
【００３６】
制御部３０は、後退トリガの有無を判定する（ステップＳ１１）。後退トリガとは、例えば、シフトポジションが「リバース」とされたことをいう。または、後退トリガとは、車両１００の進行方向が車両１００の前後方向の後方となったことをいう。制御部３０は、走行状況情報取得部６０で取得した走行状況情報に基づいて、後退トリガの有無を判定する。制御部３０は、後退トリガがないと判定した場合（ステップＳ１１でＮｏ）、ステップＳ１１の処理を再度実行する。制御部３０は、後退トリガがあると判定した場合（ステップＳ１１でＹｅｓ）、ステップＳ１２に進む。
【００３７】
ステップＳ１１において、後退トリガがあると判定された場合、制御部３０は、合成した後方映像データ１１０Ｃを生成する（ステップＳ１２）。より詳しくは、制御部３０は、切出部５１で、第一映像データ１１０Ａから後方映像データ１１０Ｂを切出させる。そして、制御部３０は、映像合成部５２で、後方映像データ１１０Ｂの左右上方に右側後方映像データ１２０Ｂおよび左側後方映像データ１３０Ｂを合成した後方映像データ１１０Ｃを生成させる。
【００３８】
制御部３０は、ステップＳ１２で生成した、合成した後方映像データ１１０Ｃを表示する（ステップＳ１３）。より詳しくは、制御部３０は、表示制御部７０で、通常の後方映像データ１１０Ｂまたは合成した後方映像データ１１０Ｃをリヤビューモニタ１４０に表示させる。
【００３９】
走行状況情報取得部６０は、ステップＳ１１で後退トリガがあると判定された後も継続して走行状況を取得している。より詳しくは、制御部３０は、走行状況情報取得部６０で走行状況の取得を継続している。
【００４０】
ステップＳ１３において、合成した後方映像データ１１０Ｃを表示している期間において、制御部３０は、走行状況情報取得部６０で取得した走行状況情報に基づいて、後退終了を判定する（ステップＳ１４）。より詳しくは、制御部３０は、走行状況情報取得部６０で取得した走行状況情報に基づいて、後退トリガの解除を判定する。制御部３０は、後退トリガの解除がないと判定した場合（ステップＳ１４でＮｏ）、合成した後方映像データ１１０Ｃの表示を継続する。制御部３０は、後退トリガの解除があると判定された場合（ステップＳ１４でＹｅｓ）、制御部３０は、後方映像データ１１０Ｂを生成し（ステップＳ１５）、後方映像データ１１０Ｂを表示する（ステップＳ１６）。すなわち、ステップＳ１５およびステップＳ１６は、ステップＳ１１において後退トリガが検出される以前と同様、通常の後方映像データＢの表示が開始、継続される。
【００４１】
制御部３０は、後退トリガの検出ごとに、上記の処理を繰り返す。
【００４２】
図１０ないし図１４を用いて、制御部３０における情報処理の具体例を説明する。図１０は、第一実施形態に係る車両用表示システムの後方カメラで撮影された映像データの他の例を示す図である。図１１は、第一実施形態に係る車両用表示システムのリヤビューモニタに表示される映像の他の例を示す図である。図１２は、第一実施形態に係る車両用表示システムの右サイドビューモニタに表示される映像の他の例を示す図である。図１３は、第一実施形態に係る車両用表示システムの左サイドビューモニタに表示される映像の他の例を示す図である。図１４は、第一実施形態に係る車両用表示システムのリヤビューモニタに表示される映像の他の例を示す図である。車両１００は、シフトポジション「リバース」が選択されている。図１０に示す第一映像データ１１０Ａには、車両１００の後方に駐車されている他車両２０１が映っている。制御部３０は、ステップＳ１１において、後退トリガがあると判定する（ステップＳ１１でＹｅｓ）。そして、制御部３０は、ステップＳ１２において、切出部５１で、図１０に示す第一映像データ１１０Ａから、図１１に示す後方映像データ１１０Ｂを切出させる。そして、制御部３０は、映像合成部５２で、後方映像データ１１０Ｂの右上方に、図１２に示す右側後方映像データ１２０Ｂを合成し、左上方に図１３に示す左側後方映像データ１３０Ｂを合成して、合成した後方映像データ１１０Ｃを生成させる。そして、制御部３０は、ステップＳ１３において、表示制御部７０で、リヤビューモニタ１４０の表示面に、図１４に示す合成した後方映像データ１１０Ｃを表示させる。
【００４３】
このようにして、車両用表示システム１は、走行状況情報取得部６０が取得した走行状況に応じて、合成した後方映像データ１１０Ｃをリヤビューモニタ１４０の表示面に表示させる。
【００４４】
上述したように、本実施形態は、走行状況情報取得部６０が取得した走行状況に応じて、合成した後方映像データ１１０Ｃをリヤビューモニタ１４０の表示面に表示させる。本実施形態では、車両１００の後退時、後方映像データ１１０Ｂの左右上方に右側後方映像データ１２０Ｂおよび左側後方映像データ１３０Ｂを合成した後方映像データ１１０Ｃをリヤビューモニタ１４０の表示面に表示させる。これにより、本実施形態は、車両１００の後退時で、リヤビューモニタ１４０の表示面で、車両１００の後方とともに、車両１００の側後方を確認することができる。このため、本実施形態は、運転者の視線移動を抑制することができる。より詳しくは、本実施形態は、リヤビューモニタ１４０から視線移動して右サイドビューモニタ１５０および左サイドビューモニタ１６０を視認しなくても、路側方向の側後方を確認することができる。本実施形態は、運転者の後方及び側後方の確認に要する時間を低減することができる。このように、車両用表示システム１は、適切な車両１００周辺の確認を可能にすることができる。
【００４５】
本実施形態によれば、車両１００の後退時、合成した後方映像データ１１０Ｃをリヤビューモニタ１４０の表示面に表示させる。このため、本実施形態によれば、運転者による操作によらず自動で、リヤビューモニタ１４０の表示面で、車両１００の後方とともに、車両１００の側後方を表示させることができる。このように、車両用表示システム１は、適切な車両１００周辺の確認を可能にすることができる。
【００４６】
本実施形態によれば、車両１００の後退時、所定条件を満たす場合に、合成した後方映像データ１１０Ｃをリヤビューモニタ１４０の表示面に表示させる。言い換えると、本実施形態によれば、所定条件を満たす場合、合成した後方映像データ１１０Ｃを表示させ、その他の場合、後方映像データ１１０Ｂを表示させる。このため、本実施形態は、車両１００の後退時、運転者が必要とするタイミングで、適切な情報量の映像を表示することができる。
【００４７】
本実施形態によれば、映像合成部５２は、後方映像データ１１０Ｂの左右上方に右側後方映像データ１２０Ｂおよび左側後方映像データ１３０Ｂを合成する。言い換えると、本実施形態によれば、映像合成部５２は、後方映像データ１１０Ｂの消失点より下方の範囲は、右側後方映像データ１２０Ｂおよび左側後方映像データ１３０Ｂが重なる範囲を小さくする。言い換えると、後方映像データ１１０Ｂの左右上方は、後退時の後方確認の優先度が低いとともに、右側後方映像データ１２０Ｂおよび左側後方映像データ１３０Ｂによる確認がより適切である。このため、本実施形態は、運転者にとって運転中の安全確認の必要度が高い範囲は、走行状況によらず、従来の光学式のルームミラーと同様に後方を確認することができる。
【００４８】
［第二実施形態］
図１５ないし図１７を参照しながら、本実施形態に係る車両用表示システム１について説明する。図１５は、第二実施形態に係る車両用表示システムの車両用表示制御装置の制御部における処理の流れを示すフローチャートである。図１６は、第二実施形態に係る車両用表示システムの後方カメラで撮影された映像データの一例を示す図である。図１７は、第二実施形態に係る車両用表示システムのリヤビューモニタに表示される映像の一例を示す図である。本実施形態に係る車両用表示システム１は、基本的な構成は第一実施形態の車両用表示システム１と同様である。以下の説明においては、車両用表示システム１と同様の構成要素には、同一の符号または対応する符号を付し、その詳細な説明は省略する。本実施形態の車両用表示システム１は、切出部５１および制御部３０における情報処理が第一実施形態の車両用表示システム１と異なる。
【００４９】
切出部５１は、走行状況に応じて、第一映像データ１１０Ａからの切出範囲を、通常の後方映像データ１１０Ｂの切出範囲よりも下方に設定する。より詳しくは、切出部５１は、表示制御部７０が映像合成部５２で合成した後方映像データ１１０Ｃを表示させるとき、合成していない通常の後方映像データ１１０Ｂを表示させるときより下方を切出すように第一映像データ１１０Ａからの切出範囲を設定する。例えば、合成していない通常の後方映像データ１１０Ｂを表示させるときの切出範囲より、所定画素下方を含むように切出範囲を設定する。言い換えると、切出部５１は、表示制御部７０が映像合成部５２で合成した後方映像データ１１０Ｃを表示させるとき、より車両１００に近い位置を切出範囲に含むように設定する。切出部５１は、切出した後方映像データ１１０Ｂ２を映像合成部５２と表示制御部７０とに出力する。
【００５０】
次に、図１５を用いて、制御部３０における情報処理について説明する。図１５に示すフローチャートのステップＳ２１、ステップＳ２４〜ステップＳ２７の処理は、図９に示すフローチャートのステップＳ１１、ステップＳ１３〜ステップＳ１６の処理と同様である。
【００５１】
制御部３０は、切出範囲を下方にシフトして後方映像データ１１０Ｂ２を切出す（ステップＳ２２）。
【００５２】
制御部３０は、合成した後方映像データ１１０Ｃを生成する（ステップＳ２３）。より詳しくは、制御部３０は、切出部５１で切出した後方映像データ１１０Ｂ２の左右上方に右側後方映像データ１２０Ｂおよび左側後方映像データ１３０Ｂを合成した後方映像データ１１０Ｃを生成させる。
【００５３】
図１６および図１７を用いて、制御部３０における情報処理の具体例を説明する。車両１００は、シフトポジション「リバース」が選択されている。図１６に示す第一映像データ１１０Ａは、車両１００の後方に駐車されている他車両２０１が映っている。制御部３０は、ステップＳ２１において、後退トリガがあると判定する（ステップＳ２１でＹｅｓ）。そして、制御部３０は、ステップＳ２２において、切出部５１で、後方映像データ１１０Ｂの切出範囲を下方にシフトして、図１６に示す第一映像データ１１０Ａから後方映像データ１１０Ｂ２を切出させる。そして、制御部３０は、ステップＳ２３において、映像合成部５２で、後方映像データ１１０Ｂ２の左右上方に右側後方映像データ１２０Ｂおよび左側後方映像データ１３０Ｂを合成した後方映像データ１１０Ｃを生成させる。そして、制御部３０は、ステップＳ２４において、表示制御部７０で、リヤビューモニタ１４０の表示面に、図１７に示す合成した後方映像データ１１０Ｃを表示させる。
【００５４】
このようにして、車両用表示システム１は、走行状況情報取得部６０が取得した走行状況に応じて、合成していない通常の後方映像データ１１０Ｂより下方を切出し、合成した後方映像データ１１０Ｃをリヤビューモニタ１４０の表示面に表示させる。
【００５５】
上述したように、本実施形態では、車両１００の後退時、切出範囲を下方にシフトして切出した後方映像データ１１０Ｂ２の左右上方に右側後方映像データ１２０Ｂおよび左側後方映像データ１３０Ｂを合成し、合成した後方映像データ１１０Ｃをリヤビューモニタ１４０の表示面に表示させる。これにより、本実施形態は、リヤビューモニタ１４０の表示面で、車両１００により近い位置を含んで後方を確認することができる。このように、車両用表示システム１は、適切な車両１００周辺の確認を可能にすることができる。
【００５６】
［第三実施形態］
図１８ないし図２１を参照しながら、本実施形態に係る車両用表示システム１Ａについて説明する。図１８は、第三実施形態に係る車両用表示システムの構成例を示すブロック図である。図１９は、第三実施形態に係る車両用表示システムの車両用表示制御装置の制御部における処理の流れを示すフローチャートである。図２０は、第三実施形態に係る車両用表示システムの後方カメラで撮影された映像データの一例を示す図である。図２１は、第三実施形態に係る車両用表示システムのリヤビューモニタに表示される映像の一例を示す図である。本実施形態の車両用表示システム１Ａは、検出部８０と、認識辞書記憶部３００とを有する点および制御部３０Ａにおける情報処理が第一実施形態の車両用表示システム１と異なる。
【００５７】
認識辞書記憶部３００は、例えば、車両、人物、壁、縁石、植物などを含む障害物の各方向視の形状、大きさ、色などのパターンを照合可能な認識辞書を記憶している。認識辞書記憶部３００は、例えば、ＲＡＭ、ＲＯＭ、フラッシュメモリなどの半導体メモリ素子、または、ハードディスク、光ディスク、ネットワークを介した外部記憶装置などの記憶装置である。
【００５８】
検出部８０は、後方映像データ１１０Ｂの左右側方の障害物を検出する。後方映像データ１１０Ｂの左右側方は、右サイドビューモニタ１５０または左サイドビューモニタ１６０による確認範囲と重複する範囲である。例えば、後方映像データ１１０Ｂの左右側方は、後方映像データ１１０Ｂの横方向サイズにおける左右約三分の一程度である。検出部８０は、後方映像データ１１０Ｂの左右側方において、障害物認識処理を行い、障害物を検出する。より詳しくは、検出部８０は、後方映像データ１１０Ｂの左右側方に対して、認識辞書記憶部３００が記憶している認識辞書を用いたパターンマッチングを行い、障害物の存在を検出する。検出部８０は、検出した障害物を画像処理で追尾する。検出部８０は、検出結果を映像合成部５２Ａに出力する。
【００５９】
映像合成部５２Ａは、検出部８０で障害物を検出したとき、合成した後方映像データ１１０Ｃの、障害物が検出された方向に対応する、右側後方映像データ１２０Ｂおよび左側後方映像データ１３０Ｂの少なくともどちらかを拡大表示する。より詳しくは、映像合成部５２Ａは、検出部８０で後方映像データ１１０Ｂの左側方に障害物を検出したとき、合成した後方映像データ１１０Ｃの、左側後方映像データ１３０Ｂの合成範囲において、左側後方映像データ１３０Ｂを拡大する。映像合成部５２Ａは、検出部８０で後方映像データ１１０Ｂの右側方に障害物を検出したとき、合成した後方映像データ１１０Ｃの、右側後方映像データ１２０Ｂの合成範囲において、右側後方映像データ１２０Ｂを拡大する。本実施形態では、障害物が検出された方向に対応する右側後方映像データ１２０Ｂおよび左側後方映像データ１３０Ｂの、車両１００側の下方を基準として拡大する。映像合成部５２Ａは、障害物が検出された方向が拡大された、合成した後方映像データ１１０Ｃ２を表示制御部７０に出力する。
【００６０】
制御部３０Ａにおける情報処理について説明する。図１９に示すフローチャートのステップＳ３１〜ステップＳ３３、ステップＳ３６〜ステップＳ３８の処理は、図９に示すフローチャートのステップＳ１１〜ステップＳ１３、ステップＳ１４〜ステップＳ１６の処理と同様である。
【００６１】
制御部３０Ａは、後方映像データ１１０Ｂの左右側方に障害物を検出するか否かを判定する（ステップＳ３４）。より詳しくは、制御部３０Ａは、検出部８０で後方映像データ１１０Ｂの左右側方の障害物を検出したか否かを判定する。制御部３０Ａは、検出部８０で後方映像データ１１０Ｂの左右側方に障害物を検出していないと判定した場合（ステップＳ３４でＮｏ）、ステップＳ３６に進む。制御部３０Ａは、検出部８０で後方映像データ１１０Ｂの左右側方に障害物を検出したと判定した場合（ステップＳ３４でＹｅｓ）、ステップＳ３５に進む。
【００６２】
制御部３０Ａは、検出方向の右側後方映像データ１２０Ｂおよび左側後方映像データ１３０Ｂの少なくともどちらかの合成範囲において、表示される映像を拡大する（ステップＳ３５）。より詳しくは、制御部３０Ａは、ステップＳ３２で生成した、合成した後方映像データ１１０Ｃの検出方向に対応する左右いずれかの右側後方映像データ１２０Ｂまたは左側後方映像データ１３０Ｂの合成範囲において、右側後方映像データ１２０Ｂまたは左側後方映像データ１３０Ｂの表示される映像を拡大して、合成した後方映像データ１１０Ｃ２を生成する。表示される映像の拡大処理は、切出部５１における切出範囲を狭くして切出し、狭く切出した右側後方映像データ１２０Ｂまたは左側後方映像データ１３０Ｂを拡大して表示させる。
【００６３】
図２０および図２１を用いて、制御部３０Ａにおける情報処理の具体例を説明する。車両１００は、シフトポジション「リバース」が選択されている。図２０に示す第一映像データ１１０Ａには、左側方に縁石２０２が映っている。制御部３０Ａは、ステップＳ３１において、後退トリガがあると判定する（ステップＳ３１でＹｅｓ）。そして、制御部３０Ａは、ステップＳ３２において、切出部５１で、図２０に示す第一映像データ１１０Ａから、後方映像データ１１０Ｂを切出させる。そして、制御部３０Ａは、映像合成部５２Ａで、後方映像データ１１０Ｂの左右上方に右側後方映像データ１２０Ｂおよび左側後方映像データ１３０Ｂを合成した後方映像データ１１０Ｃを生成させる。そして、制御部３０Ａは、ステップＳ３４において、検出部８０で後方映像データ１１０Ｂの左右側方に障害物を検出したと判定する（ステップＳ３４でＹｅｓ）。そして、制御部３０Ａは、ステップＳ３５において、映像合成部５２Ａで、障害物の検出方向である左側に対応する、左側後方映像データ１３０Ｂの合成範囲において、左側後方映像データ１３０Ｂを拡大して、合成した後方映像データ１１０Ｃ２を生成させる。そして、制御部３０Ａは、表示制御部７０で、リヤビューモニタ１４０の表示面に、図２１に示す拡大された左側後方映像データ１３０Ｂ２を合成した後方映像データ１１０Ｃ２を表示させる。
【００６４】
このようにして、車両用表示システム１Ａは、後方映像データ１１０Ｂの左右側方に障害物が検出されたとき、障害物が検出された方向に対応する右側後方映像データ１２０Ｂおよび左側後方映像データ１３０Ｂが拡大された、合成した後方映像データ１１０Ｃ２をリヤビューモニタ１４０の表示面に表示させる。
【００６５】
上述したように、本実施形態では、後方映像データ１１０Ｂの左右側方に障害物が検出されたとき、障害物が検出された方向に対応する右側後方映像データ１２０Ｂおよび左側後方映像データ１３０Ｂが拡大された、合成した後方映像データ１１０Ｃ２をリヤビューモニタ１４０の表示面に表示させる。このため、本実施形態は、リヤビューモニタ１４０の表示面において、車両１００の左右側方にある障害物を容易に確認することができる。このように、本実施形態は、適切な車両１００周辺の確認を可能にすることができる。
【００６６】
［第四実施形態］
図２２を参照しながら、本実施形態に係る車両用表示システム１について説明する。図２２は、第四実施形態に係る車両用表示システムの車両用表示制御装置の制御部における処理の流れを示すフローチャートである。本実施形態の車両用表示システム１は、制御部３０における情報処理が第一実施形態の車両用表示システム１と異なる。
【００６７】
走行状況情報取得部６０は、車両１００の走行状況を示す情報として、車両１００の走行速度に関する情報を取得する。
【００６８】
映像合成部５２は、走行状況情報取得部６０が、車両１００が低速走行状況であることを示している情報を取得したとき、後方映像データ１１０Ｂの左右上方に右側後方映像データ１２０Ｂおよび左側後方映像データ１３０Ｂを合成する。低速走行状況とは、走行状況情報取得部６０で取得した走行状況が、例えば、車両１００の走行速度が所定速度未満の状態が継続していると判定される状況をいう。または、低速走行状況は、ナビゲーション情報や外部サーバなどで取得した情報に基づいて、車両１００の走行路が市街地、住宅街、商店街、歩行者の多い道路であると判定される状況としてもよい。または、低速走行状況は、ナビゲーション情報や外部サーバなどで取得した情報に基づいて、車両１００が、道路幅が所定幅未満である道路を走行していると判定される状況としてもよい。または、低速走行状況は、ナビゲーション情報や外部サーバなどで取得した情報に基づいて、車両１００が、単車線の道路を走行していると判定される状況としてもよい。
【００６９】
制御部３０における情報処理について説明する。図２２に示すフローチャートのステップＳ４２、ステップＳ４３、ステップＳ４５、ステップＳ４６の処理は、図９に示すフローチャートのステップＳ１２、ステップＳ１３、ステップＳ１５、ステップＳ１６の処理と同様である。
【００７０】
制御部３０は、低速走行状況であるか否かを判定する（ステップＳ４１）。より詳しくは、制御部３０は、走行状況情報取得部６０で取得した走行状況が、車両１００が低速走行状況であることを示しているか否かを判定する。制御部３０は、低速走行状況ではないと判定した場合（ステップＳ４１でＮｏ）、ステップＳ４１の処理を再度実行する。制御部３０は、低速走行状況であると判定した場合（ステップＳ４１でＹｅｓ）、ステップＳ４２に進む。
【００７１】
走行状況情報取得部６０は、ステップＳ４１で低速走行状況であると判定された後も継続して走行状況を取得している。より詳しくは、制御部３０は、走行状況情報取得部６０で走行状況の取得を継続している。
【００７２】
ステップＳ４３において、合成した後方映像データ１１０Ｃを表示している期間において、制御部３０は、走行状況情報取得部６０で取得した走行状況情報に基づいて、低速走行状況の終了を判定する（ステップＳ４４）。制御部３０は、低速走行状況が終了していないと判定した場合（ステップＳ４４でＮｏ）、合成した後方映像データ１１０Ｃの表示を継続する。制御部３０は、低速走行状況が終了したと判定された場合（ステップＳ４４でＹｅｓ）、制御部３０は、後方映像データ１１０Ｂを生成し（ステップＳ４５）、後方映像データ１１０Ｂを表示する（ステップＳ４６）。すなわち、ステップＳ４５およびステップＳ４６は、ステップＳ４１において低速走行状況であると判定される以前と同様、通常の後方映像データ１１０Ｂの表示が開始、継続される。
【００７３】
このようにして、車両用表示システム１は、低速走行状況であるとき、合成した後方映像データ１１０Ｃをリヤビューモニタ１４０の表示面に表示させる。
【００７４】
上述したように、本実施形態では、低速走行状況であるとき、合成した後方映像データ１１０Ｃをリヤビューモニタ１４０の表示面に表示させる。これにより、本実施形態は、低速走行状況であるとき、リヤビューモニタ１４０の表示面で、車両１００の側後方を確認することができる。このため、本実施形態は、運転者の視線移動を抑制することができる。本実施形態は、運転者の後方及び側後方の確認に要する時間を低減することができる。このように、車両用表示システム１は、適切な車両１００周辺の確認を可能にすることができる。
【００７５】
低速走行時、リヤビューモニタ１４０は、目視による確認時間が長くなることが知られている。本実施形態によれば、低速走行状況で、運転者が車両１００の路側方向の側後方を確認したいとき、リヤビューモニタ１４０の表示面で、車両１００の後方とともに、車両１００の側後方を確認することができる。このように、本実施形態は、運転者が必要とするタイミングで、運転者に適切な情報をリヤビューモニタ１４０の表示面を介して提供することができる。
【００７６】
［第五実施形態］
図２３ないし図２５を参照しながら、本実施形態に係る車両用表示システム１について説明する。図２３は、第五実施形態に係る車両用表示システムの車両用表示制御装置の制御部における処理の流れを示すフローチャートである。図２４は、第五実施形態に係る車両用表示システムの後方カメラで撮影された映像データの一例を示す図である。図２５は、第五実施形態に係る車両用表示システムのリヤビューモニタに表示される映像の一例を示す図である。本実施形態の車両用表示システム１は、制御部３０における情報処理が第一実施形態の車両用表示システム１と異なる。
【００７７】
走行状況情報取得部６０は、車両１００の走行状況を示す情報として、車両１００の走行路に関する情報を取得する。より詳しくは、走行状況情報取得部６０は、ナビゲーション情報や、外部サーバなどから走行路に関する情報を取得する。本実施形態では、走行状況情報取得部６０は、車両１００が走行している道路の車線数を取得する。
【００７８】
映像合成部５２は、走行状況情報取得部６０が取得した道路情報が、片側一車線の道路を示しているとき、後方映像データ１１０Ｂの左右上方に、路側方向に対応する左右いずれかの右側後方映像データ１２０Ｂまたは左側後方映像データ１３０Ｂを合成する。より詳しくは、映像合成部５２は、路側方向が左側であるとき、後方映像データ１１０Ｂの左上方に左側後方映像データ１３０Ｂを合成する。映像合成部５２は、路側方向が右側であるとき、後方映像データ１１０Ｂの右上方に右側後方映像データ１２０Ｂを合成する。
【００７９】
制御部３０における情報処理について説明する。図２３に示すフローチャートのステップＳ５３、ステップＳ５５、ステップＳ５６の処理は、図９に示すフローチャートのステップＳ１３、ステップＳ１５、ステップＳ１６の処理と同様である。
【００８０】
制御部３０は、走行路は片側一車線であるか否かを判定する（ステップＳ５１）。より詳しくは、制御部３０は、走行状況情報取得部６０で取得した走行状況が、車両１００の走行路が片側一車線の道路を示しているか否かを判定する。制御部３０は、走行路が片側一車線ではないと判定した場合（ステップＳ５１でＮｏ）、ステップＳ５１の処理を再度実行する。制御部３０は、走行路が片側一車線であると判定した場合（ステップＳ５１でＹｅｓ）、ステップＳ５２に進む。
【００８１】
制御部３０は、路側方向に対応する右側後方映像データ１２０Ｂまたは左側後方映像データ１３０Ｂを合成した後方映像データ１１０Ｃを生成する（ステップＳ５２）。より詳しくは、制御部３０は、映像合成部５２で、後方映像データ１１０Ｂの路側方向に対応する左右上方に、右側後方映像データ１２０Ｂまたは左側後方映像データ１３０Ｂを合成した後方映像データ１１０Ｃを生成する。
【００８２】
走行状況情報取得部６０は、ステップＳ５１で走行道路が片側一車線であると判定された後も継続して走行状況を取得している。より詳しくは、制御部３０は、走行状況情報取得部６０で走行状況の取得を継続している。
【００８３】
ステップＳ５３において、合成した後方映像データ１１０Ｃを表示している期間において、制御部３０は、走行状況情報取得部６０で取得した走行状況情報に基づいて、片側一車線の道路の終了を判定する（ステップＳ５４）。制御部３０は、片側一車線の道路が終了していないと判定した場合（ステップＳ５４でＮｏ）、合成した後方映像データ１１０Ｃの表示を継続する。制御部３０は、片側一車線の道路が終了したと判定された場合（ステップＳ５４でＹｅｓ）、制御部３０は、後方映像データ１１０Ｂを生成し（ステップＳ５５）、後方映像データ１１０Ｂを表示する（ステップＳ５６）。すなわち、ステップＳ５５およびステップＳ５６は、ステップＳ５１において走行道路が片側一車線であると判定される以前と同様、通常の後方映像データ１１０Ｂの表示が開始、継続される。
【００８４】
図２４および図２５を用いて、制御部３０における情報処理の具体例を説明する。図２４に示す第一映像データ１１０Ａは、車両１００が片側一車線の道路を走行しているときの映像である。制御部３０は、ステップＳ５１において、走行路が片側一車線であると判定する（ステップＳ５１でＹｅｓ）。そして、制御部３０は、ステップＳ５２において、後方映像データ１１０Ｂの路側方向である左側に対応する左上方に、左側後方映像データ１３０Ｂを合成した後方映像データ１１０Ｃを生成する。そして、制御部３０は、リヤビューモニタ１４０の表示面に、図２５に示す左側後方映像データ１３０Ｂを合成した後方映像データ１１０Ｃを表示させる。
【００８５】
このようにして、車両用表示システム１は、片側一車線の道路を走行しているとき、後方映像データ１１０Ｂの左右上方に、路側方向に対応する左右いずれかの右側後方映像データ１２０Ｂまたは左側後方映像データ１３０Ｂを合成する。
【００８６】
上述したように、本実施形態では、片側一車線の道路を走行しているとき、後方映像データ１１０Ｂの左右上方に、路側方向に対応する左右いずれかの右側後方映像データ１２０Ｂまたは左側後方映像データ１３０Ｂを合成した後方映像データ１１０Ｃをリヤビューモニタ１４０の表示面に表示させる。これにより、本実施形態は、片側一車線の道路を走行しているとき、リヤビューモニタ１４０の表示面で、車両１００の後方とともに、車両１００の路側方向の側後方を確認することができる。このため、本実施形態は、運転者の視線移動を抑制することができる。本実施形態は、運転者の後方及び側後方の確認に要する時間を低減することができる。このように、車両用表示システム１は、適切な車両１００周辺の確認を可能にすることができる。
【００８７】
［第六実施形態］
図２６ないし図２８を参照しながら、本実施形態に係る車両用表示システム１について説明する。図２６は、第六実施形態に係る車両用表示システムの車両用表示制御装置の制御部における処理の流れを示すフローチャートである。図２７は、第六実施形態に係る車両用表示システムのリヤビューモニタに表示される映像の一例を示す図である。図２８は、第六実施形態に係る車両用表示システムのリヤビューモニタに表示される映像の他の例を示す図である。本実施形態の車両用表示システム１は、制御部３０における情報処理が第一実施形態の車両用表示システム１と異なる。
【００８８】
走行状況情報取得部６０は、車両１００の走行状況を示す情報として、車両１００の走行路に関する情報を取得する。より詳しくは、走行状況情報取得部６０は、例えば、ナビゲーション情報や、外部サーバなどで取得した情報に基づいて、車両１００が低速走行を行う道路を走行しているかを判定可能な情報を取得する。低速走行を行う道路とは、走行路が市街地、住宅街、商店街、歩行者の多い道路をいう。または、低速走行を行う道路とは、道路幅が所定幅未満の道路としてもよい。または、単車線の道路としてもよい。または、片側一車線の道路であると判定される道路としてもよい。
【００８９】
映像合成部５２は、走行状況情報取得部６０が、車両１００が低速走行を行う道路を走行中であることを示している情報を取得したとき、後方映像データ１１０Ｂの左右上方に右側後方映像データ１２０Ｂおよび左側後方映像データ１３０Ｂを合成する。さらに、映像合成部５２は、走行状況情報取得部６０が取得した道路情報が、片側一車線の道路を示しているとき、路側方向に対応する左右いずれかの右側後方映像データ１２０Ｂまたは左側後方映像データ１３０Ｂを拡大して合成する。より詳しくは、映像合成部５２は、路側方向が左側であるとき、後方映像データ１１０Ｂの左上方に左側後方映像データ１３０Ｂを合成する。映像合成部５２は、路側方向が右側であるとき、後方映像データ１１０Ｂの右上方に右側後方映像データ１２０Ｂを合成する。
【００９０】
制御部３０における情報処理について説明する。図２６に示すフローチャートのステップＳ６２、ステップＳ６３、ステップＳ６８、ステップＳ６９の処理は、図９に示すフローチャートのステップＳ１２、ステップＳ１３、ステップＳ１５、ステップＳ１６の処理と同様である。図２６に示すフローチャートのステップＳ６４、ステップＳ６６の処理は、図２３に示すフローチャートのステップＳ５１、ステップＳ５４の処理と同様である。
【００９１】
制御部３０は、低速走行を行う道路を走行中であるか否かを判定する（ステップＳ６１）。より詳しくは、制御部３０は、走行状況情報取得部６０で取得した走行状況が、車両１００が低速走行を行う道路を走行中であることを示しているか否かを判定する。制御部３０は、低速走行を行う道路を走行中ではないと判定した場合（ステップＳ６１でＮｏ）、ステップＳ６１の処理を再度実行する。制御部３０は、低速走行を行う道路を走行中であると判定した場合（ステップＳ６１でＹｅｓ）、ステップＳ６２に進む。
【００９２】
ステップＳ６４において、走行道路が片側一車線であると判定された場合、制御部３０は、路側方向に対応する左右いずれかの右側後方映像データ１２０Ｂまたは左側後方映像データ１３０Ｂにおいて、表示される映像を拡大する（ステップＳ６５）。より詳しくは、制御部３０は、映像合成部５２で、ステップＳ６２で生成した、合成した後方映像データ１１０Ｃの路側方向に対応する左右いずれかの右側後方映像データ１２０Ｂまたは左側後方映像データ１３０Ｂにおいて、右側後方映像データ１２０Ｂまたは左側後方映像データ１３０Ｂの表示される映像を拡大して、合成した後方映像データ１１０Ｃ２を生成させる。表示される映像の拡大処理は、切出部５１における切出範囲を狭くして切出し、狭く切出した右側後方映像データ１２０Ｂまたは左側後方映像データ１３０Ｂを拡大して表示させる。
【００９３】
制御部３０における情報処理の具体例を説明する。制御部３０は、ステップＳ６１において、低速走行を行う道路を走行中ではないと判定した場合（ステップＳ６１でＮｏ）、通常の後方映像データ１１０Ｂの生成と表示を継続する。制御部３０は、ステップＳ６１において、低速走行を行う道路を走行中であると判定した場合（ステップＳ６１でＹｅｓ）、ステップＳ６２において、合成した後方映像データ１１０Ｃを生成する。より詳しくは、制御部３０は、図２７に示す、後方映像データ１１０Ｂの左右上方に、右側後方映像データ１２０Ｂおよび左側後方映像データ１３０Ｂを合成した後方映像データ１１０Ｃを生成する。さらに、制御部３０は、ステップＳ６４において、走行路が片側一車線であると判定した場合（ステップＳ６４でＹｅｓ）、ステップＳ６５において、路側方向に対応する左右いずれかの右側後方映像データ１２０Ｂまたは左側後方映像データ１３０Ｂにおいて、表示される映像を拡大した、合成した後方映像データ１１０Ｃ２を生成する。より詳しくは、制御部３０は、図２８に示す、路側方向である左側に対応する左側後方映像データ１３０Ｂにおいて、表示される映像を拡大した左側後方映像データ１３０Ｂ２を含む後方映像データ１１０Ｃ２を生成する。そして、制御部３０は、リヤビューモニタ１４０の表示面に、通常の後方映像データ１１０Ｂまたは合成した後方映像データ１１０Ｃまたは合成した後方映像データ１１０Ｃ２を表示させる。
【００９４】
このようにして、車両用表示システム１は、車両１００が低速走行を行う道路を走行中であるとき、後方映像データ１１０Ｂの左右上方に右側後方映像データ１２０Ｂおよび左側後方映像データ１３０Ｂを合成する。さらに、車両用表示システム１は、走行路が片側一車線であるとき、路側方向に対応する左右いずれかの右側後方映像データ１２０Ｂまたは左側後方映像データ１３０Ｂを拡大する。
【００９５】
上述したように、本実施形態では、車両１００が低速走行を行う道路を走行中であるとき、リヤビューモニタ１４０の表示面で、車両１００の後方とともに、車両１００の路側方向の側後方を確認することができる。さらに、走行路が片側一車線であるとき、路側方向に対応する右側後方映像データ１２０Ｂおよび左側後方映像データ１３０Ｂが拡大された、合成した後方映像データ１１０Ｃ２をリヤビューモニタ１４０の表示面に表示させる。このため、本実施形態は、走行路が片側一車線であるとき、リヤビューモニタ１４０の表示面において、車両１００の左右側方にある障害物を容易に確認することができる。本実施形態は、運転者の後方及び側後方の確認に要する時間を低減することができる。このように、車両用表示システム１は、適切な車両１００周辺の確認を可能にすることができる。
【００９６】
［第七実施形態］
図２９を参照しながら、本実施形態に係る車両用表示システム１について説明する。図２９は、第七実施形態に係る車両用表示システムの車両用表示制御装置の制御部における処理の流れを示すフローチャートである。本実施形態の車両用表示システム１は、制御部３０における情報処理が第一実施形態の車両用表示システム１と異なる。
【００９７】
走行状況情報取得部６０は、車両１００の走行状況を示す情報として、車両１００の旋回方向（左右方向）情報を取得する。旋回方向情報とは、車両１００の旋回方向への移動を推定する情報である。具体的に、旋回方向情報は、車両１００の周辺の地図情報と車両１００の現在地情報と車両１００の方向指示器操作情報と車両１００のギア操作情報と車両１００のステアリング操作情報と車両１００の角速度との少なくともいずれか一つの情報などである。
【００９８】
車両１００の旋回方向の変化とは、車両１００が走行中の道路が延びる方向（以下、「走行路方向」という）に対して、逸れる方向の変化である。旋回方向の変化は、車両１００の前後方向の前側に向かって左右方向の変化である。例えば、右左折時や車線変更時に、車両１００は、旋回方向の変化を生じる。車両１００の旋回方向の変化には、屈曲またはカーブしている道路に沿った車両１００の方向の変化は含まない。
【００９９】
映像合成部５２は、走行状況情報取得部６０が取得した旋回情報が、旋回方向の変化を示しているとき、変化する旋回方向に対応する左右いずれかの右側後方映像データ１２０Ｂまたは左側後方映像データ１３０Ｂを合成する。より詳しくは、映像合成部５２は、旋回方向が左方向であるとき、後方映像データ１１０Ｂの左上方に左側後方映像データ１３０Ｂを合成する。映像合成部５２は、旋回方向が右方向であるとき、後方映像データ１１０Ｂの右上方に右側後方映像データ１２０Ｂを合成する。映像合成部５２は、例えば、走行路方向とのズレが１５°以上となったら、旋回方向が変化したと判定するようにしてもよい。これは、走行時の多少のブレやステアリングホイールの遊びを、車両１００の旋回方向の変化として判定しないためである。
【０１００】
制御部３０における情報処理について説明する。図２９に示すフローチャートのステップＳ７３、ステップＳ７５、ステップＳ７６の処理は、図９に示すフローチャートのステップＳ１３、ステップＳ１５、ステップＳ１６の処理と同様である。
【０１０１】
制御部３０は、旋回方向が変化したか否かを判定する（ステップＳ７１）。より詳しくは、制御部３０は、走行状況情報取得部６０で取得した走行状況が、旋回方向の変化を示しているか否かを判定する。制御部３０は、旋回方向が変化していないと判定した場合（ステップＳ７１でＮｏ）、ステップＳ７１の処理を再度実行する。制御部３０は、旋回方向が変化したと判定した場合（ステップＳ７１でＹｅｓ）、ステップＳ７２に進む。
【０１０２】
制御部３０は、旋回方向に対応する右側後方映像データ１２０Ｂまたは左側後方映像データ１３０Ｂを合成した後方映像データ１１０Ｃを生成する（ステップＳ７２）。より詳しくは、制御部３０は、映像合成部５２で、後方映像データ１１０Ｂの旋回方向に対応する左右上方に、右側後方映像データ１２０Ｂまたは左側後方映像データ１３０Ｂを合成した後方映像データ１１０Ｃを生成させる。
【０１０３】
走行状況情報取得部６０は、ステップＳ７１で旋回方向が変化したと判定された後も継続して走行状況を取得している。より詳しくは、制御部３０は、走行状況情報取得部６０で走行状況の取得を継続している。
【０１０４】
ステップＳ７３において、合成した後方映像データ１１０Ｃを表示している期間において、制御部３０は、走行状況情報取得部６０で取得した走行状況情報に基づいて、旋回方向の変化の終了を判定する（ステップＳ７４）。制御部３０は、旋回方向の変化が終了していないと判定した場合（ステップＳ７４でＮｏ）、合成した後方映像データ１１０Ｃの表示を継続する。制御部３０は、旋回方向の変化が終了したと判定された場合（ステップＳ７４でＹｅｓ）、制御部３０は、後方映像データ１１０Ｂを生成し（ステップＳ７５）、後方映像データ１１０Ｂを表示する（ステップＳ７６）。すなわち、ステップＳ７５およびステップＳ７６は、ステップＳ７１において旋回方向が変化したと判定される以前と同様、通常の後方映像データ１１０Ｂの表示が開始、継続される。
【０１０５】
このようにして、車両用表示システム１は、旋回方向が変化したとき、後方映像データ１１０Ｂの左右上方に、旋回方向に対応する左右いずれかの右側後方映像データ１２０Ｂまたは左側後方映像データ１３０Ｂを合成する。
【０１０６】
上述したように、本実施形態では、旋回方向が変化しているとき、後方映像データ１１０Ｂの左右上方に、旋回方向に対応する左右いずれかの右側後方映像データ１２０Ｂまたは左側後方映像データ１３０Ｂを合成した後方映像データ１１０Ｃをリヤビューモニタ１４０の表示面に表示させる。これにより、本実施形態は、旋回方向が変化しているとき、リヤビューモニタ１４０の表示面で、車両１００の後方とともに、車両１００の路側方向の側後方を確認することができる。このため、本実施形態は、運転者の視線移動を抑制することができる。本実施形態は、運転者の後方及び側後方の確認に要する時間を低減することができる。このように、車両用表示システム１は、適切な車両１００周辺の確認を可能にすることができる。
【０１０７】
図示した車両用表示システム１の各構成要素は、機能概念的なものであり、必ずしも物理的に図示の如く構成されていなくてもよい。すなわち、各装置の具体的形態は、図示のものに限られず、各装置の処理負担や使用状況などに応じて、その全部または一部を任意の単位で機能的または物理的に分散または統合してもよい。
【０１０８】
車両用表示システム１の構成は、例えば、ソフトウェアとして、メモリにロードされたプログラムなどによって実現される。上記実施形態では、これらのハードウェアまたはソフトウェアの連携によって実現される機能ブロックとして説明した。すなわち、これらの機能ブロックについては、ハードウェアのみ、ソフトウェアのみ、または、それらの組み合わせによって種々の形で実現できる。
【０１０９】
上記に記載した構成要素には、当業者が容易に想定できるもの、実質的に同一のものを含む。さらに、上記に記載した構成は適宜組み合わせが可能である。また、本発明の要旨を逸脱しない範囲において構成の種々の省略、置換または変更が可能である。
【０１１０】
制御部３０は、例えば、図９に示すフローチャートのステップＳ１１における判定条件が、一定時間継続されたら、ステップＳ１２において合成した後方映像データ１１０Ｃを生成するものとしてもよい。これにより、車両用表示システム１は、不用意にリヤビューモニタ１４０に表示する映像が切り替わることを抑制することができる。
【０１１１】
制御部３０は、合成した後方映像データ１１０Ｃにおいて、右側後方映像データ１２０Ｂおよび左側後方映像データ１３０Ｂに対応する範囲を、所定透明度の半透明で着色して表示してもよい。これにより、車両用表示システム１は、リヤビューモニタ１４０の表示が右側後方映像データ１２０Ｂおよび左側後方映像データ１３０Ｂを含んでいることを容易に確認することができる。
【０１１２】
第一実施形態および第三実施形態ないし第七実施形態では、切出部５１で、第一映像データ１１０Ａから第一映像データ１１０Ａの一部を切出すものとしたが、これに限定されない。第一映像データ１１０Ａを切出さずに全範囲を後方映像データ１１０Ｂとしてもよい。
【０１１３】
切出部５１で、第二映像データから、右サイドビューモニタ１５０および左サイドビューモニタ１６０に表示する右側後方映像データ１２０Ｂおよび左側後方映像データ１３０Ｂを切出すものとしたが、これに限定されない。第二映像データを切出さずに全範囲を右側後方映像データ１２０Ｂおよび左側後方映像データ１３０Ｂとしてもよい。
【０１１４】
右サイドビューモニタ１５０および左サイドビューモニタ１６０を備えるものとしたが、従来の光学式の右サイドミラーおよび左サイドミラーを備えていてもよい。
【０１１５】
第三実施形態では、検出部８０は、後方映像データ１１０Ｂに対して、認識辞書記憶部３００が記憶している認識辞書を用いたパターンマッチングを行い、障害物の存在を検出するものとしたが、障害物の検出方法はこれに限定されない。検出部８０は、後方映像データ１１０Ｂに対して、路面認識処理で車両１００の後方の路面を認識し、検出した路面より上方に位置するものを障害物として認識してもよい。
【０１１６】
第五実施形態および第六実施形態では、走行状況情報取得部６０が取得した道路情報に基づいて、片側一車線の道路を示しているか否かを判定したが、これに限定されない。映像合成部５２は、第一映像データ１１０Ａに対して車線認識処理を行って、走行路が片側一車線であるか否かを判定してもよい。
【０１１７】
後方映像データ１１０Ｂの左右上方に合成する右側後方映像データ１２０Ｂおよび左側後方映像データ１３０Ｂは、右サイドビューモニタ１５０および左サイドビューモニタ１６０に表示する右側後方映像データおよび左側後方映像データ（以下、「サイドビューモニタ映像」という）とは異なる切出範囲としてもよい。例えば、右側後方映像データ１２０Ｂおよび左側後方映像データ１３０Ｂは、サイドビューモニタ映像と同じ範囲を切出してもよい。または、例えば、右側後方映像データ１２０Ｂおよび左側後方映像データ１３０Ｂは、サイドビューモニタ映像よりも広い範囲を切出してもよい。または、例えば、右側後方映像データ１２０Ｂおよび左側後方映像データ１３０Ｂは、サイドビューモニタ映像よりも狭い範囲を切出してもよい。この場合、後方映像データ１１０Ｂの左右上方に合成された右側後方映像データ１２０Ｂおよび左側後方映像データ１３０Ｂは、サイドビューモニタ映像より狭い範囲が拡大され表示されていてもよい。さらに、後方映像データ１１０Ｂの左右上方に合成された右側後方映像データ１２０Ｂおよび左側後方映像データ１３０Ｂは、後方映像データ１１０Ｂと被撮影物の大きさが同じになるようにしてもよい。
【０１１８】
切出部５１による切出範囲や、右側後方映像データ１２０Ｂまたは左側後方映像データ１３０Ｂのリヤビューモニタ１４０の表示面における大きさは、例えば、運転者が停車中に調節することができるようにしてもよい。その際に、例えば、リヤビューモニタ１４０の表示面において２本の指の間隔を縮めたり広げたりする動作で、切出範囲や大きさを所望の大きさに設定できるようにしてもよい。また、例えば、リヤビューモニタ１４０の表示面をタッチするごとに、切出範囲や大きさが、段階的に変化するようにしてもよい。
【０１１９】
第二実施形態において、切出範囲を下方にシフトして後方映像データ１１０Ｂ２を切出す際に、切出範囲を下方にシフトして右側後方映像データ１２０Ｂおよび左側後方映像データ１３０Ｂを切出すようにしてもよい。または、切出範囲を下方にシフトして後方映像データ１１０Ｂ２を切出す際に、車両１００の旋回方向に対応する左右いずれかの右側後方映像データ１２０Ｂまたは左側後方映像データ１３０Ｂについて、切出範囲を下方にシフトしてもよい。
【符号の説明】
【０１２０】
１        車両用表示システム
１０      車両用表示制御装置
３０      制御部
４０      映像データ取得部
４１      側後方映像データ取得部
４２      後方映像データ取得部
５０      映像処理部
５１      切出部
５２      映像合成部
６０      走行状況情報取得部
７０      表示制御部
１００    車両
１１０    後方カメラ
１２０    右側後方カメラ（側後方カメラ）
１３０    左側後方カメラ（側後方カメラ）
１４０    リヤビューモニタ（表示装置）
１５０    右サイドビューモニタ（側後方確認装置）
１６０    左サイドビューモニタ（側後方確認装置）
【図１】
2018019155.tif 000003
【図２】
2018019155.tif 000004
【図３】
2018019155.tif 000005
【図４】
2018019155.tif 000006
【図５】
2018019155.tif 000007
【図６】
2018019155.tif 000008
【図７】
2018019155.tif 000009
【図８】
2018019155.tif 000010
【図９】
2018019155.tif 000011
【図１０】
2018019155.tif 000012
【図１１】
2018019155.tif 000013
【図１２】
2018019155.tif 000014
【図１３】
2018019155.tif 000015
【図１４】
2018019155.tif 000016
【図１５】
2018019155.tif 000017
【図１６】
2018019155.tif 000018
【図１７】
2018019155.tif 000019
【図１８】
2018019155.tif 000020
【図１９】
2018019155.tif 000021
【図２０】
2018019155.tif 000022
【図２１】
2018019155.tif 000023
【図２２】
2018019155.tif 000024
【図２３】
2018019155.tif 000025
【図２４】
2018019155.tif 000026
【図２５】
2018019155.tif 000027
【図２６】
2018019155.tif 000028
【図２７】
2018019155.tif 000029
【図２８】
2018019155.tif 000030
【図２９】
2018019155.tif 000031